(57)【要約】【課題】被検眼の位置を容易に精度良く確認できる検眼装置を提供すること。【解決手段】レンズ装用基準位置と被検眼の角膜頂点との頂間距離を確認するための角膜位置照準光学系を備える自覚式の検眼装置において、前記角膜位置照準光学系は、頂間距離を定めるための目盛りが付された照準板及びレチクルとを備えると共に、前記レチクルに対して検者の眼を所定の距離に合わせるために異なる観察距離で配置された第１指標と第２指標であって、検者の眼が前記所定の距離に位置するときに、所定の位置関係に観察される第１指標と第２指標を備える。【選択図】      図３
2004229769.tif 000002
【特許請求の範囲】
【請求項１】
レンズ装用基準位置と被検眼の角膜頂点との頂間距離を確認するための角膜位置照準光学系を備える自覚式の検眼装置において、
前記角膜位置照準光学系は、頂間距離を定めるための目盛りが付された照準板及びレチクルとを備えると共に、前記レチクルに対して検者の眼を所定の距離に合わせるために異なる観察距離で配置された第１指標と第２指標であって、検者の眼が前記所定の距離に位置するときに、所定の位置関係に観察される第１指標と第２指標を備えることを特徴とする検眼装置。
【請求項２】
レンズ装用基準位置と被検眼の角膜頂点との頂間距離を確認するための角膜位置照準光学系を備える自覚式の検眼装置において、
前記角膜位置照準光学系は異なる観察距離に配置された第１照準板と第２照準板を備え、該第１照準板及び第２照準板には頂間距離に応じた複数本の目盛りを実際の距離ピッチで共に形成したことを特徴とする検眼装置。
【請求項３】
請求項２の検眼装置において、前記第１照準板及び第２照準板に形成された目盛りは、それぞれが何れのものかが分かるように互いに異なる配置、異なる色、又は異なる形状で設けられていることを特徴とする検眼装置。
【発明の詳細な説明】
【０００１】
【発明の属する技術分野】
本発明は、被検眼の屈折力を自覚的に検査する検眼装置に係り、殊にレンズ後面（レンズ装用基準位置）と被検眼の角膜頂点との頂間距離の確認に好適な検眼装置に関する。
【０００２】
【従来技術】
被検者が眼鏡を装用する際、レンズ後面（レンズ装用基準位置）に対する被検眼の角膜頂点の頂間距離ＶＤは、一般に、１３．７５ｍｍや１２．００ｍｍが基準距離とされている。従って、自覚式の検眼装置による屈折力検査においては、レンズ後面と被検眼の角膜頂点との頂間距離ＶＤを確認する必要がある。このため、検眼窓に所望の光学素子を切換え配置して被検眼の屈折力を自覚的に検査する検眼装置においては、頂間距離ＶＤを確認するための角膜位置照準光学系が設けられている。
【０００３】
図８は、従来の検眼装置が備える角膜位置照準光学系の概略構成図であり、検眼窓１０３には種々の光学素子１０４が切換え配置され、被検眼ＰＥは光学素子１０４を通して前方の視標１１０を視認する。角膜位置照準光学系１２０は、被検眼ＰＥの側方に配置された照準目盛板１２１と、反射ミラー１２２と、反射ミラー１２２の反射方向に配置されたレチクル板１２３とにより構成されている。検者は、レチクル板１２３から２５０ｍｍ離れた位置から、図９のように、レチクル板１２３に付された三角形状のレチクル１２４と照準目盛板１２１に付された目盛りの長線Ｓ１と一致して見える所に位置した後、長線Ｓ１やその左右にある短線Ｓ２の目盛りに対する被検眼Ｅの角膜頂点の位置関係を確認する。例えば、角膜頂点が長線Ｓ１上に位置すれば、ＶＤ＝１３．７５ｍｍである。短線Ｓ２はＶＤの各距離に対応する距離で複数本付されており、角膜頂点がどの短線Ｓ２又は長線Ｓ１の目盛りに位置するかによりＶＤを測定できるようになっている。この種の角膜位置照準機構を備える検眼装置の一例としては、例えば下記の特許文献１に記載されている。
【特許文献１】
特開平６−１８１８８８号公報（図２）
【０００４】
【発明が解決しようとする課題】
しかし、上記のような角膜位置照準機構の方式は、検者眼ＯＥがレチクル板１２３から２５０ｍｍ離れたところにほぼ正確に位置できなければ、頂間距離ＶＤの測定にかなりの誤差を生じるという問題があった。頂間距離ＶＤが正確でないと、屈折力検査にも誤差が生じる。レチクル板１２３に対して検者眼ＯＥの距離を正確にする方法としては、メジャーや定規等を使用する方法もあるが、これは手間が掛かる。
【０００５】
本発明は、上記技術の問題点に鑑み、被検眼の位置を容易に精度良く確認できる検眼装置を提供することを技術課題とする。
【０００６】
【課題を解決するための手段】
上記課題を解決するために、本発明は以下のような構成を備えることを特徴とする。
【０００７】
（１）  レンズ装用基準位置と被検眼の角膜頂点との頂間距離を確認するための角膜位置照準光学系を備える自覚式の検眼装置において、
前記角膜位置照準光学系は、頂間距離を定めるための目盛りが付された照準板及びレチクルとを備えると共に、前記レチクルに対して検者の眼を所定の距離に合わせるために異なる観察距離で配置された第１指標と第２指標であって、検者の眼が前記所定の距離に位置するときに、所定の位置関係に観察される第１指標と第２指標を備えることを特徴とする。
（２）  レンズ装用基準位置と被検眼の角膜頂点との頂間距離を確認するための角膜位置照準光学系を備える自覚式の検眼装置において、
前記角膜位置照準光学系は異なる観察距離に配置された第１照準板と第２照準板を備え、該第１照準板及び第２照準板には頂間距離に応じた複数本の目盛りを実際の距離ピッチで共に形成したことを特徴とする。
（３）  （２）の検眼装置において、前記第１照準板及び第２照準板に形成された目盛りは、それぞれが何れのものかが分かるように互いに異なる配置、異なる色、又は異なる形状で設けられていることを特徴とする。
【０００８】
【発明の実施の形態】
以下、本発明の実施形態を図面に基づいて説明する。図１は、本発明に係る第１実施形態における自覚式検眼装置の概略図である。検眼装置のレンズ室ユニット２は、被検者の左右眼を測定するために左右それぞれに分割配置されており、図示なき支持ユニットによって、検眼窓３が被検眼ＰＥの高さに合うように支持されている。図１では左眼測定側のレンズ室ユニット２のみ図示しており、右眼測定用のレンズ室ユニット２は左右対称で構成されているので、省略する。左右のレンズ室ユニット２は、図示なき支持ユニットによって間隔が調整可能に支持されており、被検眼の瞳孔間距離に合わせて調整可能である。
【０００９】
レンズ室ユニット２内には、屈折検査に用いられる球面レンズや円柱レンズなどの複数の光学素子４が検眼窓３に切換え配置可能に設けられている。光学素子４はそれぞれ回転ディスク（図示を略す）に配置されており、回転ディスクを回転駆動することにより、検眼窓３に所望する素子を配置する構成となっている。
【００１０】
被検眼ＰＥには、検眼窓３に配置された光学素子４を通して光軸５上に位置する前方の検査視標１０を視認させ、その検査視標の見え具合に応じて光学素子４を切換えることにより、被検眼ＰＥの屈折力を検査する。
【００１１】
また、レンズ室ユニット２には頂間距離ＶＤを確認するための角膜位置照準光学系２０が設けられている。角膜位置照準光学系２０は、被検眼ＰＥの側方に配置された反射ミラー２２と、反射ミラー２２の反射方向の観察光路に配置された照準目盛板２３、レチクル板２４とを備える。レチクル板２４はレンズ室ユニット２の前側に設けられた覗き窓２６に配置されている。レンズ室ユニット２の前側に位置する検者眼ＯＥは、これら反射ミラー２２、照準目盛板２３、レチクル板２４を介して被検眼ＰＥの側方を観察できる。２１は、被検眼ＰＥの観察光を通過させる窓である。なお、照準目盛板２３は、従来例と同じく、反射ミラー２２と被検眼ＰＥとの間に設けても良い。
【００１２】
図２（ａ）は照準目盛板２３の構成図であり、図２（ｂ）はレチクル板２４の構成図である。照準目盛板２３には数本の線からなる目盛りが付されている。細線で描かれた目盛り線Ｓ１〜Ｓ５は、順にＶＤ＝１２ｍｍ、１３．７５ｍｍ、１６ｍｍ、１８ｍｍ、２０ｍｍに対応している。なお、基準距離となる１３．７５ｍｍの目盛り線Ｓ２は、他と区別するために点線で描かれている。中央に位置し、上と下からそれぞれ延びる太線Ｓ６は、レチクル板２４との位置合わせの基準線である。３０は検者眼ＯＥをレチクル板２４に対して所定の距離に導くための距離合わせ用第１指標であり、本実施形態では方形の枠線として形成されている。
【００１３】
レチクル板２４は、周辺部が黒塗りされており、内側が透明色となっている。レチクル板２４には、中央に２つの三角形状のレチクル２４ａが上下に形成されている。また、３１は照準目盛板２３側の第１指標３０と共に用いる距離合わせ用の第２指標であり、第１指標３０と同じく方形の枠線として形成されている。また、黒塗りされた周辺部の外周部分には、ＶＤ距離の数値表示２５が付されている。
【００１４】
図３は、検者眼ＯＥをレチクル板２４に対して所定の距離に導くための第１指標３０と第２指標３１の関係を説明する図である。検者眼ＯＥがレチクル板２４からＬ＝２５０ｍｍに位置するとき、第１指標３０と第２指標３１が一つに重なって見えるように、それぞれの枠線の寸法ＡとＢが決定されている。すなわち、第１指標３０の寸法をＡ、第２指標の寸法をＢ、レチクル板２４にある第２指標３１に対して検者眼ＯＥが位置すべき設計上の距離をＬ（＝２５０ｍｍ）、第１指標３０と第２指標３１の距離をΔＬとしたとき、
Ｌ／（Ｌ＋ΔＬ）＝Ｂ／Ａ
の関係式が成り立つように、寸法ＡとＢが決定されている。
【００１５】
ここで、検者眼ＯＥが距離Ｌ＝２５０ｍｍより近くのＰ１に位置する場合、第２指標３１の枠線に対して第１指標３０の枠線が内側に位置するように見える。反対に、検者眼ＯＥが距離Ｌ＝２５０ｍｍより遠くのＰ２に位置する場合、第２指標３１の枠線に対して第１指標３０の枠線が外側に位置するように見える。第２指標３１の枠線と第１指標３０の枠線が重なって一つに見えるようにすれば、距離Ｌ＝２５０ｍｍのＰ０に検者眼ＯＥを正確に位置させることができる。
【００１６】
本実施形態においては、第１指標３０及び第２指標３１の形状を枠線としているため、上下左右に合致させることにより検者眼ＯＥの横方向及び縦方向位置合わせも容易に可能となる。第１指標３０及び第２指標３１の形状は、円形状であっても良いし、単に一つのライン形状であっても良い。また、第１指標３０及び第２指標３１を異なる色にすれば、さらに視認性を向上させることもできる。なお、検者眼ＯＥの位置合わせ第１指標３０及び第２指標３１を設ける位置は、照準目盛板２３とレチクル板２４に配置に限定されるものではなく、角膜位置照準光学系２０の観察光路上にあれば良い。
【００１７】
被検眼ＰＥの角膜頂点位置を確認する際には、レンズ室ユニット２の前側の窓２６からレチクル板２４を覗き、上記のようにレチクル板２４の指標３１と照準目盛板２３の指標３０とが一つに合致して見えるように、検者眼ＯＥの位置を調整する。これにより、レチクル板２４から距離Ｌ＝２５０ｍｍのところに検者眼ＯＥを容易に位置させることができる。次に、図４のように、レチクル２４ａの先端と太線Ｓ６が合致して見えるように左右方向を微調整した後、被検眼ＰＥの角膜頂点の位置を確認する。基準位置ＶＤ＝１３．７５ｍｍに被検眼を位置させる場合、目盛り線Ｓ２に角膜頂点が合致するように、図示なき額当てを移動させて被検眼ＰＥを移動させる。顔の彫りが深い人や奥目の人の場合に基準位置まで移動させるのが困難である場合には、他の目盛り線Ｓ１、Ｓ３〜Ｓ５で角膜頂点の位置を確認し、その距離を基に所定の換算式により基準位置での屈折力を求める。
【００１８】
図５は、第２実施形態の自覚式検眼装置の概略図である。先の実施形態と同じ要素には同一符号を付し、その説明は省略する。第２実施形態の装置における角膜位置照準光学系５０は、被検眼ＰＥの側方に配置された反射ミラー５２と、反射ミラー５２の反射方向の観察光路に配置された第１照準目盛板５３、第２照準板５４とを備える。第２照準板５４はレンズ室ユニット２の前側の窓５６に設けられている。第１照準目盛板５３と第２照準板５４はなるべく離した位置とすることが好ましい。
【００１９】
図６（ａ）は第２照準目盛板５４の構成図であり、図６（ｂ）は第１照準目盛板５３の構成図である。第２実施形態における角膜位置照準光学系５０では、検眼装置１に対する検者眼ＯＥの距離を任意に取ることを可能にするように、先の実施形態に対して第１照準目盛板５３及第２照準目盛板５４の指標構成が異なる。第１照準目盛板５３及び第２照準板は共に透明部材からなり、それぞれ複数本の目盛線が所定の距離ピッチで形成されている。図６（ａ）において、第２照準目盛板５４には、上から中央のやや下まで延びる３本の実線からなる目盛線Ｓａ１、Ｓａ２、Ｓａ３と、下から中央のやや上まで延びる２本の点線からなる目盛線Ｓａ４、Ｓａ５とが形成されている。目盛線Ｓａ１、Ｓａ２、Ｓａ３は、順にＶＤ＝１２ｍｍ、１６ｍｍ、２０ｍｍであり、目盛線Ｓａ４、Ｓａ５は順にＶＤ＝１３．７５ｍｍ、１８ｍｍである。また、各目盛線Ｓａ１〜Ｓａ５の間隔は、実際の距離ピッチと同寸法で形成されている。各目盛線Ｓａ１〜Ｓａ５の付近には、ＶＤ距離の数値表示６０が付されている。このようにＶＤに対応する複数本の目盛線を、実線と点線とで交互に配置することにより、何れのものかが観察しやすくなる。
【００２０】
第１照準目盛板５３に形成された目盛線は、第２照準目盛板５４に形成された目盛線Ｓａ１〜Ｓａ６をちょうど上下反転した形であり、実線からなる３本の目盛線Ｓｂ１、Ｓｂ２、Ｓｂ３と、点線からなる２本の目盛線Ｓｂ４、Ｓｂ５とにより構成されている。Ｓｂ１、Ｓｂ２、Ｓｂ３はＶＤ＝１２ｍｍ、１６ｍｍ、２０ｍｍであり、目盛線Ｓａ４、Ｓａ５はＶＤ＝１３．７５ｍｍ、１８ｍｍである。この各目盛線Ｓａ１〜Ｓａ５の間隔も、実際の距離ピッチと同寸法で形成されている。第１照準目盛板５３及び第２照準目盛板５４に形成する目盛線は全く同一でも良いが、上記のように上下反転等、互いに異なる配置で設けた方が、ＶＤに対応するもの何れであるかを確認し易い。あるいは、互いに異なる色や異なる形状であって良い。
【００２１】
このような構成の角膜位置照準光学系５０を使用した被検眼ＰＥの位置の確認について説明する。検者はレンズ室ユニット２の前側の窓５６を覗き、検者眼ＯＥを左右方向に移動することにより、第２照準板５４の所望する距離の目盛線に第１照準目盛板５３の対応する目盛線を合致させ、被検眼ＰＥの位置を確認する。例えば、被検眼ＰＥをＶＤ＝１３．７５ｍｍの基準位置に位置させたい場合、図７に示すように、検者は第２照準目盛板５４側の下から延びる目盛線Ｓａ４と第１照準目盛板５３の上から延びる目盛線Ｓｂ４とが、一直線に合致して見えるように、検者眼ＯＥを左右方向に移動させる。このとき、他の目盛線はズレて見える。そして、この合致した目盛線Ｓａ４とＳｂ４に、被検眼ＰＥの角膜頂点が位置するように図示なき額当てを移動させることにより、被検眼ＰＥをＶＤ＝１３．７５ｍｍに位置させることができる。この距離に被検眼ＰＥを位置できない被検者の場合には、検者眼ＯＥを左右方向に移動し、被検眼ＰＥの角膜頂点に対して、第２照準目盛板５４及び第１照準目盛板５３のそれぞれの対応する目盛線が共に一致するところを読み取ることにより、被検眼ＰＥのＶＤを確認する。
【００２２】
このような角膜位置照準光学系５０では、第１照準目盛板５３及び第２照準目盛板５４の目盛線が共に実際の距離ピッチであるので、検者は眼を左右方向に平行移動して被検眼ＰＥの位置を確認すれば良く、第２照準目盛板５４からの距離を気にすること無く、任意の見易い距離に眼を位置させれば良い。
【００２３】
【発明の効果】
以上説明したように、本発明によれば、正確かつ容易に角膜頂点の位置を確認できる。これにより、信頼性の高い屈折検査を行うことができる。
【図面の簡単な説明】
【図１】本発明に係る第１実施形態における自覚式検眼装置の概略図である。
【図２】照準目盛板及びレチクル板の構成図である。
【図３】検者眼をレチクル板に対して所定の距離に導くための第１指標と第２指標の関係を説明する図である。
【図４】レチクルの先端と太線が合致して見えるようにし、被検眼の角膜頂点の位置を確認する時を説明する図である。
【図５】第２実施形態の自覚式検眼装置の概略図である。
【図６】第２照準目盛板及び第１照準目盛板の構成図である。
【図７】検者が第２照準目盛板側の下から延びる目盛線Ｓａ４と第１照準目盛板の上から延びる目盛線Ｓｂ４とが、一直線に合致して見える時を説明する図である。
【図８】従来の検眼装置が備える角膜位置照準光学系の概略構成図である。
【図９】レチクル板に付された三角形状のレチクルと照準目盛板に付された目盛りの長線Ｓ１が一致して見える時を説明する図である。
【符号の説明】
２  レンズ室ユニット
３  検眼窓
４  光学素子
２０  角膜位置照準光学系
２１  窓
２２  反射ミラー
２３  照準目盛板
２４  レチクル板
２４ａ  三角形状のレチクル
２６  覗き窓
３０  距離合わせ用第１指標
３１  距離合わせ用第２指標
５０  角膜位置照準光学系
５２  反射ミラー
５３  第１照準目盛板
５４  第２照準目盛板
５６  窓
【図１】
2004229769.tif 000003
【図２】
2004229769.tif 000004
【図３】
2004229769.tif 000005
【図４】
2004229769.tif 000006
【図５】
2004229769.tif 000007
【図６】
2004229769.tif 000008
【図７】
2004229769.tif 000009
【図８】
2004229769.tif 000010
【図９】
2004229769.tif 000011